(57)【特許請求の範囲】
【請求項１】
撮像素子と該撮像素子を駆動する駆動手段と、前記撮像素子からの出力信号に処理を施す信号処理手段と、該信号処理手段からの出力信号にデータ圧縮を施す圧縮手段と、該圧縮手段から出力された圧縮映像データを記録する記録手段のメモリ制御を行うメモリ制御手段と、を有するビデオカメラ装置において、
前記記録手段に圧縮映像データを記録するときに、該圧縮映像データを記録したメモリ領域に対する書き込み禁止を示す情報を書き込むこと、および、
優先的に記録手段への圧縮映像データの書き込みを禁止するか、もしくは書き込み禁止を解除するかを設定する手段を設けたこと、
を特徴とするビデオカメラ装置。
【請求項２】
前記記録手段に記録された圧縮映像データを外部の記憶手段に出力するディジタル信号出力手段を備え、該ディジタル信号出力手段が記録手段に記録された圧縮映像データを外部へ出力した後に、圧縮映像データを出力したメモリ領域の書き込み禁止を解除することを特徴とする請求項１に記載のビデオカメラ装置。
【発明の詳細な説明】
【０００１】
【産業上の利用分野】
本発明は、半導体メモリやディスク型メモリを記憶手段として用いたビデオカメラに関する。
【０００２】
【従来の技術】
従来のビデオカメラは撮影した映像の記録手段としてＶＴＲを用い、磁気テープに記録していた。そして、既に映像を記録した磁気テープへの上書きを防ぐためには、ユーザが自分でテープカートリッジの上書き防止の爪を設定していた。
【０００３】
【発明が解決しようとする課題】
上記の従来技術では、テープカートリッジの爪で上書きの可、不可を判定しているため、原理的に、記録媒体の一部分の上書きを禁止したり、許可したりすることが可能なビデオカメラ装置を実現することができなかった。そのため、撮影途中にテープを巻き戻したのを忘れて上書きしてしまうことがあった。また、記録媒体の上書きの可、不可はユーザが自分で設定しなくてはならないため、誤って記録済みのテープの上にほかの映像を記録してしまうこともあった。
【０００４】
本発明の目的は、映像が記録されている記録領域に対する書き込みを自動的に禁止し、撮影した映像を誤って消してしまわないようなビデオカメラ装置を実現することである。
【０００５】
【課題を解決するための手段】
上記の目的を達成するために、カメラで撮影した映像データを記録する手段として半導体メモリやディスク型メモリを用いる。そして、撮影した映像データを記録手段に記録する時に、既に記録されたメモリ領域に対する書き込みを禁止するために、書き込み禁止を示す情報を映像データの記録と同時に記録手段に書き込むようにしたものである。
【０００６】
【作用】
映像データを記録する媒体として半導体メモリやディスク型メモリを用い、映像データの他に、映像データを書き込んだ部分のメモリ領域への書き込みを禁止するような情報を同時に記録媒体に書き込む。映像データを記録する時はこの書き込み禁止情報を参照し、書き込み可能な領域にだけ映像データを記録する。それによって、撮影した映像を誤って消してしまうような事故を防ぐことができる。
【０００７】
更に、記録手段に記録した映像データをディジタル信号出力手段を介して外部の記録手段に出力するした後は、それらの映像データが記録されていたメモリ領域に対する、書き込み禁止を自動的に解除する。このようにすることで、記録手段が撮像装置に固定されている場合でも、何度も映像データを記録することができる。更に、記録時に書き込み禁止情報参照しながら記録するので、メモリの空き領域領域が連続していない場合も自動的に空き領域を探して記録することができる。
【０００８】
また、記録手段への書き込み禁止情報及び禁止解除の情報は撮影時及び外部記録手段への出力時に自動的に付加するので、ユーザが何か特別な操作をする必要がなくなり、操作ミスによる上書きの事故を防ぐことができる。
【０００９】
【実施例】
以下、本発明の実施例を図１を用いて説明する。図１は、本実施例にかかるビデオカメラ装置の構成を示すブロック図である。同図において１はレンズ、２はＣＣＤ型やＭＯＳ型撮像素子、３は信号処理回路、４は圧縮伸張処理手段、５は半導体メモリやディスク型メモリの記録手段、６は５の記録手段を制御するメモリ制御手段、７は２の撮像素子を駆動する駆動回路、８はマイクロコンピュータ等で構成される制御回路、９は出力手段、１０はディジタル信号出力端子である。
【００１０】
上記した構成において、レンズ１によって撮像素子２の受光面に結像した光学像は、撮像素子２で光電変換され、アナログの撮像信号として映像信号処理手段３に出力される。この光電変換や信号の出力にタイミングは駆動回路７によって制御される。映像信号処理手段３は、入力されたアナログの撮像信号に公知のＡ／Ｄ変換処理をほどこし、ディジタルの撮像信号に変換し、輝度信号と色差信号を生成し、ガンマ補正やホワイトバランス補正などの公知の信号処理をほどこしてディジタルビデオ信号を生成し、圧縮伸張手段４に出力する。圧縮伸張手段４は映像信号処理手段３から出力されるディジタルビデオ信号にＭＰＥＧ（Ｍｏｖｉｎｇ  Ｐｉｃｔｕｒｅ  Ｅｘｐｅｒｔ）等の公知の圧縮処理をほどこし符号化した映像データ生成し記録手段５に出力する。記録手段は５は圧縮伸張手段４から出力される符号化された映像データを記録する。メモリ制御手段６は記録手段５のメモリ制御を行う回路である。出力回路９は、制御回路８からの制御に応じて信号処理手段３から出力されるディジタルビデオ信号、圧縮伸張手段４から出力される符号化された映像データ、記録手段５に記録された映像データをディジタル信号出力端子１０に出力する。
【００１１】
ここで、映像データ記録時のメモリ制御手段６の制御動作を図２のフローチャートを用いて説明する。まず、始めにメモリ制御手段６は映像データ書き込みアドレスを設定する（１）。そして、メモリ制御手段６は記録手段５から書き込むメモリ領域に対応する書き込み禁止情報を読み出し（２）、書き込み禁止か否かを判定する（３）。書き込み禁止でなかったそのメモリ領域に映像データを書き込み（４）、更に、映像データを書き込んだメモリ領域に対応する書き込み禁止情報エリアに書き込み禁止符号を書き込む（５）。そして、映像データ書き込みアドレスをインクリメントし（８）、（２）以下の動作を繰り返す。ただし、画像データ書き込み領域に不連続が発生していたときは、不連続発生直前に映像データを書き込んだメモリのアドレスを参照し、その情報を書き込むエリアに飛び先メモリアドレス（７）を記録する。
【００１２】
また、書き込み禁止の時は、書き込み可能なメモリ領域になるまでアドレスをインクリメントしていくが、このとき、映像データを書き込むメモリ領域に不連続が生じるため不連続が生じたことを示す符号を立て（９）、不連続発生直前のメモリアドレスを保持し（１０）、（２）以下の動作を繰り返す。文中の（  ）数字は図２の中の（  ）数字に対応する。
【００１３】
また、記録手段５に記録された映像データを出力手段を介して外部の記録手段に出力するとき、メモリ制御手段６は外部に出力された映像データが書かれていたメモリ領域に対応する書き込み禁止情報エリアに書き込み禁止符号を解除する禁止解除符号を書き込む。
【００１４】
このようにするこで、ユーザは自分が意識しなくも映像データがまだ記録されていない領域に撮影した映像を記録することができるので、撮影した映像を誤って消してしまことのないビデオカメラ装置を実現できる。
【００１５】
図３を用いて本発明の他の一実施例について説明する。図３は、本実施例にかかるビデオカメラ装置の構成を示すブロック図である。同図において１１は外部より記録手段５に対する書き込み禁止および解除を外部から設定するスイッチである。なお、図３について図１の前記実施例と共通な部分には同一符号を付け、その説明は省略する。
【００１６】
本実施例はスイッチ１１を押すことによって記録手段５に対する書き込み禁止、禁止の解除を優先的に設定できるビデオカメラ装置である。制御手段８はスイッチ１１の操作に応じて、記録手段５に書かれている書き込み禁止情報優先、スイッチ優先の書き込み禁止、スイッチ優先の書き込み禁止解除を切り替える。スイッチが優先しているときは、記録手段５のメモリ領域全体を書き込み可、不可の状態にできる。このスイッチ１１を設けることにより、ユーザが意図したときには、既に映像データが記録されている領域でも新たな映像データを上書きすることが可能になる。
【００１７】
本実施例によっても、前記の実施例と同等の効果が得られる。
【００１８】
【発明の効果】
以上のように、映像記録時には、映像データを書き込んだ部分のメモリ領域への書き込みを禁止するような情報を同時に記録媒体に書き込み、この書き込み禁止情報を参照し、書き込み可能な領域にだけ映像データを記録する。それによって、ユーザは意識しなくても、映像の記録されていない領域に撮影映像を記録することができる。このため、せっかく撮影した映像を誤って消してしまうような事故の起こらないビデオカメラ装置を実現できる。
【図面の簡単な説明】
【図１】本発明の一実施例にかかるビデオカメラ装置のブロック図である。
【図２】本発明の一実施例にかかる映像データ記録時のメモリ制御手段動作のフローチャートである。
【図３】本発明の他の一実施例にかかるビデオカメラ装置のブロック図である。
【符号の説明】
１……レンズ
２……撮像素子
３……信号処理手段
４……圧縮手段
５……記録手段
６……メモリ制御手段
７……駆動回路
８……制御回路
９……出力手段
１０…出力端子
１１…スイッチ
【図１】
0003546478.tif 000002
【図２】
0003546478.tif 000003
【図３】
0003546478.tif 000004